(57)【特許請求の範囲】
【請求項１】
計算機装置であって、
ベースハウジングと、
ヒンジアセンブリによって前記ベースハウジングに結合されたディスプレイハウジングであって、前記ベースハウジングに対して３５０度よりも大きい範囲において前記ヒンジアセンブリの周りを回転可能である、ディスプレイハウジングと、
前記ベースハウジング内に設置された音声出力装置と、
前記ベースハウジングに形成された開口部であって、前記音声出力装置と連通することによって音声出力ポートを規定する第１部と、前記第１部に隣接する第２部とを含む、開口部と、
前記開口部内において、前記ヒンジアセンブリと前記開口部の第１の縁部との間に位置する支持パッドと、
前記支持パッドと前記開口部の前記第１の縁部との間の隙間であって、前記開口部の前記第１部に対応し、前記音声出力部を規定する、隙間と、
を備え、
前記ヒンジアセンブリは、前記開口部の前記第２部において前記ベースハウジングに結合されており、
前記計算機装置は、
前記ベースハウジングの第１面がユーザによって定められた視野角によって前記ディスプレイハウジングの第１面から離れている、第１のモード、および、
前記ベースハウジングの前記第１面とは反対側の第２面が前記ディスプレイハウジングの第２面に向かって配置される第２のモード
において、動作可能である、計算装置。
【請求項２】
前記ベースハウジングは、前記第１面上の少なくとも１つのユーザ入力装置を含み、
前記ディスプレイハウジングの前記第１面は、ディスプレイと、前記ディスプレイを取り囲むベゼル表面とを含み、前記ディスプレイハウジングの前記第１面とは反対側の、前記ディスプレイハウジングの前記第２面とともに、前記ディスプレイハウジングの外面を規定し、
前記開口部は、前記ベースハウジングの前記第１面の周縁部の前記ベースハウジング内の前記音声出力装置の位置に対応する位置に形成されている、請求項１に記載の計算装置。
【請求項３】
前記音声出力装置は、エンクロージャブラケットと、前記エンクロージャブラケットに結合された音声ドライバと、前記エンクロージャブラケットの第１側面と前記ベースハウジングの前記第１面との間に配置された封止材とを含み、
前記エンクロージャブラケットの前記第１側面と、前記ベースハウジングの前記第１面と、前記封止材とは、前記音声出力装置の前方体積を規定し、
前記音声出力装置は、前記エンクロージャブラケットの第２側面に配置されたエンクロージャ板を含み、
前記エンクロージャ板および前記エンクロージャブラケットの前記第２側面は、前記音声出力装置の後方体積を規定し、
前記音声出力装置は、前記エンクロージャ板の前記第２側面と前記ベースハウジングの前記第２面との間に配置されたアイソレーションパッドを含む請求項１または２に記載の計算装置。
【請求項４】
前記支持パッドは、前記ベースハウジングの前記第１面の平面を越えて前記開口部から外へと突出する、請求項３に記載の計算装置。
【請求項５】
前記隙間が前記エンクロージャブラケットの前記第１側面、前記ベースハウジングの前記第１面および前記封止材によって規定される前記音声出力装置の前記前方体積と連通することによって、前記前方体積において前記音声出力装置によって生成された音が前記音声出力ポートを規定する前記隙間を通って前記計算装置の外に向かう、請求項４に記載の計算装置。
【請求項６】
前記音声出力ポートを規定する前記開口部の前記第１部に対応する前記隙間は、前記支持パッドと、前記開口部の第１の長手方向縁部との間に位置し、
前記ヒンジアセンブリは、前記支持パッドと、前記開口部の前記第１の長手方向縁部とは反対側の、前記開口部の第２の長手方向縁部との間において、前記ベースハウジングに結合された、請求項３に記載の計算装置。
【請求項７】
前記第１のモードは、前記ベースハウジングの前記第１面がユーザによって定められた視野角によって前記ディスプレイハウジングのベゼル表面から離れているラップトップモードであり、
前記第２のモードは、前記ベースハウジングの前記第２面が前記ディスプレイハウジングの外面に直接に向かって配置されるタブレットモードである、請求項６に記載の計算装置。
【請求項８】
前記支持パッドが前記ベースハウジングの前記第１面の平面を越えて前記開口部から外に突出していることによって、前記タブレットモードにおいて、前記計算装置は、前記ベースハウジングの前記第１面と作業面との間に形成された空間を空けて前記支持パッドによって前記作業面の上に支持されるように構成され、
前記音声出力装置によって生成された音は、前記音声出力ポートを規定する前記開口部の前記第１部を通って外に向かい、前記ベースハウジングの前記第１面と前記作業面との間に形成された前記空間を通って前記ベースハウジングの周縁部に向かう、請求項７に記載の計算装置。
【請求項９】
前記支持パッドは、アルミニウム製の硬質部と、シリコーンゴム材料製のカバー部とを含み、
前記カバー部は、前記硬質部の外面に化学的に接着されている、請求項８に記載の計算装置。
【請求項１０】
前記ヒンジアセンブリは、前記ベースハウジングまたは前記ディスプレイハウジングの少なくとも１つに結合された少なくとも１つのヒンジハウジングと、少なくとも１つの前記ヒンジハウジングを通って前記ベースハウジングまたは前記ヒンジハウジングのうち少なくとも１つに延伸する少なくとも１つのヒンジシャフトとを含む、請求項１から９のいずれか１項に記載の計算装置。
【請求項１１】
第１面および前記第１面の反対側の第２面を有するベースハウジングと、
前記ベースハウジング上に含まれる少なくとも１つのユーザインターフェイスと、
前記ベースハウジングの前記第１面の周縁部に形成され、かつ音声出力ポートを規定する開口部と、
前記開口部に位置する支持パッドであって、硬質部、および、該硬質部の外表面に接着されたカバー部を含む支持パッドと、
前記ベースハウジング内の前記開口部に対応する前記ベースハウジング内の位置に設置された音声出力装置とを備え、
前記音声出力装置は、エンクロージャブラケットと、前記エンクロージャブラケットに結合された音声ドライバと、前記エンクロージャブラケットの第１側面と前記ベースハウジングの前記第１面との間に配置された封止材とを含み、
前記エンクロージャブラケットの前記第１側面と、前記ベースハウジングの前記第１面と、前記封止材とは、前記音声出力装置の前方体積を規定し、
前記音声出力装置は、前記エンクロージャブラケットの第２側面に配置されたエンクロージャ板を含み、
前記エンクロージャ板および前記エンクロージャブラケットの前記第２側面は、前記音声出力装置の後方体積を規定し、
前記音声出力装置は、前記エンクロージャ板の前記第２側面と前記ベースハウジングの前記第２面との間に配置されたアイソレーションパッドを含む、計算装置。
【請求項１２】
ヒンジアセンブリによって前記ベースハウジングに回転可能に結合されたディスプレイハウジングをさらに備え、
前記ディスプレイハウジングは、外面と、前記外面の反対側のベゼル表面と、前記ベゼル表面の開口部に配置されたディスプレイとを含む、請求項１１に記載の計算装置。
【請求項１３】
前記ヒンジアセンブリは、前記ベースハウジングの前記周縁部に位置する前記開口部の外縁部において前記ベースハウジングに結合され、
前記計算装置は、前記支持パッドと前記開口部の内縁部との間に形成された隙間をさらに備え、
前記隙間は、前記音声出力ポートを規定する、請求項１２に記載の計算装置。
【請求項１４】
前記隙間が前記エンクロージャブラケットの前記第１側面、前記ベースハウジングの前記第１面および前記封止材によって規定される前記音声出力装置の前記前方体積と連通することによって、前記前方体積内の前記音声出力装置によって生成される音が前記音声出力ポートを規定する前記隙間を通って前記計算装置の外に向かう、請求項１３に記載の計算装置。
【請求項１５】
前記支持パッドは、前記ベースハウジングの前記第１面の平面を越えて前記開口部から突出している、請求項１３に記載の計算装置。
【請求項１６】
タブレットモードにおいて、前記ベースハウジングの前記第２面は、前記ディスプレイハウジングの前記外面に直接に向かうように配置され、
前記支持パッドは、作業面の上において前記計算装置を支持するように構成され、
前記音声出力装置によって生成された音は、前記音声出力ポートを通って外に向かい、かつ前記ベースハウジングの前記第１面と前記作業面との間に設けられた空間を通ってユーザに向かう、請求項１５に記載の計算装置。
【請求項１７】
前記支持パッドの前記硬質部はアルミニウム材料を素材とし、前記支持パッドの前記カバー部はシリコーンゴム材料を素材とし、
前記カバー部は、前記硬質部の外面に化学的に接着されている、請求項１３に記載の計算装置。
【請求項１８】
前記ヒンジアセンブリは、前記ディスプレイハウジングを前記ベースハウジングに回転可能に結合させる複数のヒンジアセンブリの１つであり、
前記開口部は、前記ベースハウジングの複数の開口部の１つであり、
前記複数の開口部は、前記複数のヒンジアセンブリに対応している、請求項１２に記載の計算装置。
【請求項１９】
前記ヒンジアセンブリは、ヒンジハウジングと、前記ヒンジハウジングと前記ベースハウジングとの間に延伸する第１ヒンジシャフトと、前記ヒンジハウジングと前記ディスプレイハウジングの間に延伸する第２ヒンジシャフトとを含み、
前記ヒンジハウジングは、前記第１ヒンジシャフトおよび前記第２ヒンジシャフトの周りを選択的に回転可能である、請求項１２に記載の計算装置。
【請求項２０】
少なくとも１つの前記ユーザインターフェイスは、キーボード、トラックパッドまたはタッチスクリーンディスプレイ装置のうち少なくとも１つを含む、請求項１１から１９のいずれか１項に記載の計算装置。
【請求項２１】
前記第２のモードにおいて、前記音声出力装置によって生成された音は、前記音声出力ポートを通り、前記ベースハウジングの前記第１面と前記計算機装置が上に位置する作業面との間の空間を通って前記ベースハウジングの周縁部に向かう、請求項１から１０のいずれか１項に記載の計算装置。
【発明の詳細な説明】
【技術分野】
【０００１】
これは、一般的に、計算装置内の音声出力ポートに関する。
【背景技術】
【０００２】
本出願は、２０１７年３月２１日に提出されたU.S. Application No. 15/465,301の継続出願であり、優先権を主張し、その開示は、その全体が本明細書に組み込まれる。
【発明の概要】
【発明が解決しようとする課題】
【０００３】
計算装置は、例えば、ラップトップコンピュータ、コンバーティブルコンピュータ、タブレットコンピュータ、スマートフォン機能を備えた携帯電話およびその他の装置などを含み得る。これらの種類の計算装置は、情報の入力および出力を提供する様々な種類のユーザインターフェイスと、音声入力コンポーネントおよび音声出力コンポーネントといった様々な種類のインターフェイスポートと、その他のそのような特徴を含み得る。いくつかの計算装置は、ヒンジによって回転可能に結合された２つのハウジングアセンブリを含み得る。ハウジングアセンブリは、例えば、ヒンジによってディスプレイハウジングに回転可能に結合されたベースハウジングを含み得る。計算機器の分野の拡大は、コンポーネントの寸法の低減およびコンポーネントの一層の効率的な配置のニーズに拍車をかけている。
【課題を解決するための手段】
【０００４】
一様態では、計算装置は、ベースハウジングと、ヒンジアセンブリによってベースハウジングに結合されたディスプレイハウジングと、ベースハウジング内に設置された音声出力装置と、ベースハウジングに形成された開口部と、ヒンジアセンブリとを含み得る。開口部の第１部は、音声出力ポートを規定する。ヒンジアセンブリは、開口部の第２部においてベースハウジングに結合されている。
【０００５】
別の一様態では、計算装置は、第１面および第１面の反対側の第２面を有するベースハウジングと、ベースハウジング上に含まれた少なくとも１つのユーザインターフェイス装置と、ベースハウジングの第１面に設けられ、かつ音声出力ポートを規定する開口部と、ベースハウジングに設けられた開口部に対応する位置においてベースハウジング内に設置された音声出力装置とを含み得る。音声出力装置は、エンクロージャブラケットと、エンクロージャブラケットに結合された音声ドライバと、エンクロージャブラケットの第１側面とベースハウジングの第１面との間に配置された封止材と、エンクロージャブラケットの第２側面に配置されたエンクロージャプレートと、エンクロージャプレートの第２面とベースハウジングの第２面との間に配置されたアイソレーションパッドとを含み得る。エンクロージャブラケットの第１側面、ベースハウジングの第１面および封止材は、音声出力装置の前方体積を規定する。エンクロージャプレートおよびエンクロージャブラケットの第２面は、音声出力装置の後方体積を規定する。
【０００６】
少なくとも１つの実現例の詳細は、添付の図面および以下の説明に記載されている。他の特徴は、説明および図面、ならびに請求の範囲から明らかになるであろう。
【図面の簡単な説明】
【０００７】
【図１Ａ】本明細書に記載される実現例による例示的な計算装置を示す。
【図１Ｂ】本明細書に記載される実現例による例示的な計算装置を示す。
【図１Ｃ】本明細書に記載される実現例による例示的な計算装置を示す。
【図１Ｄ】本明細書に記載される実現例による例示的な計算装置を示す。
【図２】本明細書に記載される実現例による例示的な計算機のブロックダイアグラムを示す。
【図３Ａ】本明細書に記載される実現例による例示的な計算機の部分上面図である。
【図３Ｂ】本明細書に記載される実現例による例示的な計算機のラップトップモードまたは閉モードにおける図３ＡのＡ−Ａ線に沿った部分断面図である。
【図３Ｃ】本明細書に記載される実現例による例示的な計算機のタブレットモードにおける図３ＡのＡ−Ａ線に沿った断面図である。
【図３Ｄ】本明細書に記載される実現例による例示的な計算機のラップトップモードまたは閉モードにおける図３ＡのＡ−Ａ線に沿った部分断面図である。
【図４Ａ】本明細書に記載される実現例による例示的な計算機の例示的な音声出力装置の透視図である。
【図４Ｂ】本明細書に記載される実現例による例示的な計算機の例示的な音声出力装置の分解立体図である。
【図４Ｃ】本明細書に記載される実現例による例示的な計算機の例示的な音声出力装置の透視図である。
【図４Ｄ】本明細書に記載される実現例による例示的な計算機の例示的な音声出力装置の分解立体図である。
【図５】本明細書に記載される技術を実現するために使用できる例示的な計算装置および携帯用計算装置である。
【発明を実施するための形態】
【０００８】
図１Ａ〜図１Ｄは、実現例による例示的な携帯用計算装置を示す。図１Ａ〜図１Ｄに示される実装例は、図１Ａに示されるラップトップモードまたはノートブックモードと、図１Ｃに示されるタブレットモードと、図１Ｄに示されるイーゼルモードとにおいて動作できるハイブリッド計算装置１００を示す。図１Ｂは、閉じられた姿勢での計算装置１００を示す。図１Ａ〜図１Ｄに示される例示的な計算装置１００は、計算装置の単なる一例であり、ここに記載される原則は、音声出力ポートまたはスピーカーポートを含む他の様々な種類の計算装置に適用され得る。
【０００９】
図１Ａ〜図１Ｄに示されるように、計算装置１００は、ディスプレイハウジング１０４に結合されたベースハウジング１０２を含み得る。ベースハウジング１０２は、下面１０３と、下面１０３の反対側であり、一般的に下面１０３と平行である上面１０１とを含み得る。例えば、キーボード１３０、トラックパッド１３２および他のそのような入力装置を含んでいる入力装置は、ベースハウジング１０２の上面１０１に設けられ得る。ベースハウジング１０２は、例えば、主ロジックボード（ＭＬＢ：Main  Logic  Board）、中央処理装置（ＣＰＵ）、メモリ、バッテリ、入力センサ、グラフィックカード、冷却機構、様々な外部接続を支持する構造などのような計算装置１００の様々なコンポーネントを収納し得る。ディスプレイハウジング１０４は、外面１０７と、ベゼル表面１０５と、ディスプレイ１１２とを含み得る。ディスプレイ１１２は、ディスプレイハウジング１０４内に支持されている。ディスプレイ１１２は、ベゼル表面１０５においてディスプレイハウジング１０４の開口部を通してユーザの視野に晒されている。
【００１０】
ベースハウジング１０２およびディスプレイハウジング１０４は少なくとも１つのヒンジアセンブリに結合され、例えば、回転可能に結合されていてもよく、ディスプレイハウジング１０４はヒンジアセンブリ１０６の周りを回転でき、かつベースハウジング１０２に対して相対的に移動できる。例示的な計算装置１００のベースハウジング１０２およびディスプレイハウジング１０４の回転可能な結合によって、計算装置１００は図１Ａに示されるラップトップモードから、図１Ｂに示される閉じられた姿勢に、図１Ｃに示されるタブレットモードに、そして図１Ｄに示されるイーゼルモードに移行できる。少なくとも１つの開口部１２０またはポート１２０は、ベースハウジング１０２のヒンジアセンブリ１０６に対応する位置に、例えば、ベースハウジング１０２の周縁部に形成されている。ヒンジアセンブリ１０６を収納することに加えて、これらの開口部１２０は、ベースハウジング１０２内に設置された音声出力装置３００によって生成される音のための音声出力ポート１２０またはスピーカーポート１２０を規定し得る。図１Ａ〜図１Ｄに示される例示的な計算装置１００は、単に議論と図示の簡単のために、２つのヒンジアセンブリ１０６を含んでいる。しかしながら、ディスプレイハウジングをベースハウジングに結合させるための、様々な異なる態様で配置されるより多くのまたはより少ないヒンジアセンブリを含む計算装置に、類似の原則が適用され得る。
【００１１】
図１Ａ〜図１Ｄに示される例示的な計算装置１００は、ディスプレイハウジング１０４をベースハウジング１０２に結合するヒンジアセンブリ１０６を含んでいる。しかしながら、本明細書に記載される原則は、上述されたヒンジに対応する領域以外の領域に形成された音声出力ポートまたはスピーカーポートを通って出力される音を生成する音声出力装置を有する様々な他の種類の計算装置に適用され得る。本明細書に記載される原則は、例えば、ベースハウジング内にディスプレイ機能を有しかつ分離しているディスプレイハウジングをベースハウジングに結合するヒンジアセンブリを有しないタブレット計算装置のような計算装置を含む様々な他の種類の計算装置に適用され得る。
【００１２】
図２のブロックダイアグラムに図示されるように、図１Ａ〜図１Ｄに示される例示的な計算装置１００または上述の他の計算装置などの計算装置２００のいくつかの実現例は、例えば、プロセッサ２１５、少なくとも１つの入力装置２２５、メモリ２３５、少なくとも１つのインターフェイス装置２４５、画像入力装置２５５、画像出力装置２６５、音声入力装置２７５および音声出力装置２８５を含み得る。入力装置２２５は、例えば、キーボード、トラックパッド、タッチスクリーンなどであり、外部入力をプロセッサ２１５によって処理するために受信する。インターフェイス装置２４５は、少なくとも１つの外部装置との通信を提供する。画像入力装置２５５は、例えば、カメラなどである。画像出力装置２６５は、例えば、ディスプレイなどである。音声入力装置２７５は、例えば、マイクロフォンなどである。音声出力装置２８５は、例えば、スピーカーなどである。計算装置２００は、より多くのコンポーネントを含んでいてもよいし、より少ないコンポーネントを含んでいてもよい。図２に示されるブロックダイアグラムは、単に例示的な計算装置２００のいくつかのコンポーネントを図示するだけである。
【００１３】
例示的なヒンジアセンブリ１０６および例示的な音声出力装置３００またはスピーカー３００を含む例示的な計算装置１００のベースハウジング１０２の部分の部分的な上面視は、図３Ａに示される。図１Ａおよび図１Ｂに示されるラップトップモードまたは閉モードの計算装置１００において、図３Ｂおよび図３Ｄは、図３ＡのＡ−Ａ線に沿った部分的な断面図である。図１Ｃに示されるタブレットモードの計算装置１００において、図３Ｃは、図３ＡのＡ−Ａ線に沿った部分的な断面図である。図４Ａは、図３Ａおよび図３Ｂに示される音声出力装置３００またはスピーカー３００の実現例の斜視図である。図４Ｂは、図３Ａおよび図３Ｂに示される音声出力装置３００またはスピーカー３００の実現例の分解立体図である。図４Ｃは、図３Ａおよび図３Ｂに示される音声出力装置３００またはスピーカー３００の別の実現例の斜視図である。図４Ｄは、図３Ａおよび図３Ｂに示される音声出力装置３００またはスピーカー３００の別の実現例の分解立体図である。
【００１４】
図３Ａおよび図３Ｂに示されるように、ヒンジアセンブリ１０６の本体部は、開口部１２０またはポート１２０内に配置されていてもよい。開口部１２０またはポート１２０は、ベースハウジング１０２において、例えば、ベースハウジング１０２の上面１０１の周縁部などに規定され得る。ヒンジアセンブリ１０６は、例えば、少なくとも１つのヒンジハウジング１０６Ｂに支持されている少なくとも１つのヒンジシャフト１０６Ａを含み得る。いくつかの実施において、ヒンジシャフト１０６Ａは、ヒンジハウジング１０６Ｂの反対側の端を通って外に延伸し、かつベースハウジング１０２およびまたはディスプレイハウジング１０４の内に延伸している。これにより、ヒンジアセンブリ１０６は、ベースハウジング１０２をディスプレイハウジング１０４に回転可能に結合している。
【００１５】
いくつかの実現例において、ヒンジシャフト１０６Ａの対向する端部はベースハウジング１０２に固定されるように結合され、ディスプレイハウジング１０４はヒンジハウジング１０６に固定されるように結合されている。これにより、ディスプレイハウジング１０４（およびヒンジハウジング１０６Ｂ）はヒンジシャフト１０６の周りを回転でき、ディスプレイハウジング１０４はベースハウジング１０２に対して相対的に回転できる。ヒンジシャフト１０６Ａ、ヒンジハウジング１０６Ｂ、ベースハウジング１０２およびディスプレイハウジング１０４の結合のための他の配置も、ディスプレイハウジング１０４およびベースハウジング１０２の相対的な回転を提供し得る。
【００１６】
いくつかの実現例において、ヒンジアセンブリ１０６は、ダブルバレルヒンジ構造を含み得る。ダブルバレルヒンジ構造において、ヒンジハウジング１０６Ｂは、例えば、第１バレル部と、第１ヒンジシャフトと、第２バレル部と、第２ヒンジシャフトとを含み得る。第１バレル部および第１ヒンジシャフトは、ベースハウジング１０２の開口部１２０の第１側面に結合されている。第２バレル部および第２ヒンジシャフトは、ディスプレイハウジング１０４の開口部の第１側面に結合されている。この種類のダブルバレルヒンジ構造において、ヒンジハウジングは、ベースハウジング１０２およびディスプレイハウジング１０４の両方に対して相対的に回転可能であり、ベースハウジング１０２の開口部１２０の第２面とディスプレイハウジング１０４の開口部の第２面とを、ベースハウジング１０２とディスプレイハウジング１０４との間にケーブルを通すことができるようにしていてもよい。
【００１７】
いくつかの実現例において、音声出力装置３００またはスピーカー３００は、ベースハウジング１０２内に設置されていてもよい。音声出力装置３００は、エンクロージャブラケット３２０に支持されている音声ドライバ３１０を含み得る。プレート３３０は、対応するエンクロージャブラケット３２０の端部を囲い込み、かつ音声出力装置３００の後方体積を封止し、および／または後方体積を規定するために、エンクロージャブラケット３２０に隣接して配置され得る。アイソレーションパッド３４０は、音声出力装置３００の動作中に生じる振動を吸収するために、プレート３３０の外面に配置され得る。いくつかの実現例において、アイソレーションパッド３４０は、例えば、粘着剤の層３３５または他の結合機構によってプレート３３０に結合され得る。コネクタ３１５は、音声出力装置３００の動作を制御するために、ドライバ３１０を計算装置１００のプロセッサコントローラに接続し得る。
【００１８】
ドライバ３１０の頂部およびエンクロージャブラケット３２０の頂部は、ベースハウジング１０２の上面１０１と隣接するように配置されていてもよい。封止材３５０は、例えば、ドライバ３１０を取り囲みつつエンクロージャブラケット３２０上に配置されていてもよい。これにより、エンクロージャブラケット３２０とベースハウジング１０２の上面１０１との間の封止が提供されることによって、音声出力装置３００の前方体積を規定する。このようにベースハウジング１０２の上面１０１が音声出力装置３００の前方体積を境界づけているため、音声出力装置３００の上面への追加の板（プレート３３０と類似の板）の必要性を排除することができる。これによって、一定の高さ（例えば、Ｚ方向）を有するドライバ３１０および一定の高さ（例えば、Ｚ方向）を有する前方体積について、音声出力装置３００の全体の積み重なった高さ（例えば、図３Ａ〜図３Ｄに図示される例におけるＺ方向）を低減できる。したがって、計算装置１００の厚みを低減できる。とくに、音声出力装置３００が設置されているベースハウジング１０２の領域の厚みを低減できる。
【００１９】
支持パッド３７０は、ベースハウジング１０２の開口部１２０に接するエンクロージャブラケット３２０の縁部に沿って開口部１２０の一部に配置され得る。図３Ｂに示されるように、充填パッド３６０は、支持パッド３７０の縁部とエンクロージャブラケット３２０の対応する縁部との間に配置され得る。充填パッド３６０は、支持パッド３７０とエンクロージャブラケット３２０との間を埋める。充填パッド３６０は、計算装置１００のベースハウジング１０２の開口部１２０に関して、音声出力装置３００の望ましい位置を維持する。封止材３５０によるエンクロージャブラケット３２０とベースハウジング１０２の上面１０１との間の封止（例えば、図３Ｂの領域Ｂ）は、音声出力装置３００の前方体積を規定し、図３Ｂの矢印Ｓに示されるように、ドライバ３１０によって生成された音をベースハウジング１０２の開口部１２０または音声出力ポート１２０を通って外に向かわせることができる。いくつかの実現例において、支持パッド３７０および充填パッド３６０は、ベースハウジング１０２の開口部１２０または音声出力ポート１２０を通って、ユーザに音が向かうように形成または成形され得る。
【００２０】
図１Ｃおよび図３Ｃに示されるように、計算装置１００がタブレットモードであるとき、ディスプレイハウジング１０４の外面１０７は、ベースハウジング１０２の下面１０３に向かって配置され得る。このとき、ユーザは、ディスプレイハウジング１０４に支持されたディスプレイ１１２によって情報を入力または受け取ることができるようにディスプレイ１１２にアクセスすることができる。このとき、キーパッド１３０およびトラックパッド１３０を含むベースハウジング１０２の上面１０１は、ユーザから離れる方向を向いている。いくつかの実現例において、支持パッド３７０は、ベースハウジング１０２の上面１０１の平面を超えてベースハウジング１０２の外へと延伸している。そのため、計算装置１００がタブレットモードのとき、支持パッド３７０は、例えば、テーブルまたはデスクなどの作業面の上において計算装置１００の支持を提供し得る。ベースハウジング１０２の表面１０１の平面を越えて支持パッド３７０が延伸することによって、ベースハウジング１０２の表面１０１と作業面との間に隙間または間隔が設けられる。これによって、図３Ｃの矢印Ｓの方向に示されるように、音は、ベースハウジング１０２の開口部１２０または音声出力ポート１２０を通って外に伝わり、ユーザに向かう。いくつかの実現例において、支持パッド３７０は、作業面において計算装置１００に支持を提供できる硬い材料によって作られた硬質部３７０Ａを含み得る。硬い材料は、例えば、アルミニウムまたは他の硬い材料などの金属材料である。いくつかの実施において、支持パッド３７０は、硬質部３７０Ａの外面に取り付けられたカバー部３７０Ｂを含み得る。このように配置されたときに、カバー部３７０Ｂは、計算装置１００が作業面の上を滑ることを抑制する牽引力を提供する材料から作られていてもよい。カバー部３７０Ｂの材料は、例えば、シリコーンゴム材料などである。カバー部３７０Ｂは、例えば、オーバーモールド工程、化学接着工程または他の取り付け機構によって、支持パッド３７０の硬質部３７０Ａに取り付けられていてもよい。
【００２１】
いくつかの実現例において、プレート３３０は、例えば、ステンレス鋼などの金属材料などの硬い材料から作られていてもよい。いくつかの実現例において、アイソレーションパッド３４０は、例えば、発泡材料などの衝撃を吸収できる弾力性を比較的に有する材料から作られていてもよい。いくつかの実現例において、充填パッド３６０は、支持パッド３７０の縁部とエンクロージャブラケット３２０の対応する縁部との間の隙間に合うように調整され得る、例えば、発泡材料などの弾力性を比較的に有する材料から作られていてもよい。
【００２２】
いくつかの実現例において、支持パッド３７０とベースハウジング１０２の開口部１２０の対応する縁との隙間Ｇは、ポートを規定し得る。音声出力装置２００によって生成された音は、ポートを通って、ベースハウジング１０２の外およびユーザへと向かい得る。いくつかの実現例において、隙間Ｇは、例えば、約１．０ｍｍ以下であってもよい。いくつかの実現例において、隙間Ｇは、約１．０ｍｍよりも大きくてもよい。いくつかの実施において、図３Ｄに示されるように、網目を有する板３８０、網３８０または他の種類の覆いが、隙間Ｇにわたって配置され得る。
【００２３】
音声出力装置を含む計算装置において、本明細書に記載された実現例に関して、音声出力装置の前方体積は、計算装置のハウジングの向かい合っている内面によって部分的に規定され得る。これにより、別途のエンクロージャ板の必要性をなくすことができ、音声出力装置の全体の厚みを減らすことができる。いくつかの実現例において、音声出力ポートは、音声出力装置に対応する位置におけるハウジングの開口部によって規定され、さらに音声出力装置の全体の厚みを低減し得る。音声出力装置から音声出力ポートまでの経路は、音声出力装置によって生成された音声を音声出力ポートを通してユーザに向かう方向に導くことができる支持パッドによって部分的に規定され得る。また、支持パッドは、タブレットモードにて動作しているときに作業面の上において計算装置を支持する支持パッドとしても機能し得る。いくつかの実現例において、音声出力装置の後方体積を囲むエンクロージャ板に隣接するアイソレーションパッドを配置することによって、後方体積における擦れおよび騒音を減らし、または実質的に除去することができるため、音声出力装置によって出力される音質を向上できる。
【００２４】
図５は、例示的な計算装置２０００および携帯用計算装置２０５０を示しており、これらは、本明細書に記載された技術が用いられていてもよい。計算装置２０００は、プロセッサ２００２と、メモリ２００４と、記憶装置２００６と、メモリ２００４および高速拡張ポート２０１０に接続する高速インターフェイス２００８と、低速バス２０１４および記憶装置２００６に接続する低速インターフェイス２０１２とを含む。コンポーネント２００２、２００４、２００６、２００８、２０１０および２０１２の各々は、さまざまなバスを使用して相互接続され、共通のマザーボード上にまたは他の態様で適宜実装されてもよい。プロセッサ２００２は、計算装置２０００内で実行するために命令を処理することができ、当該命令は、高速インターフェイス２００８に結合されたディスプレイ２０１６などの外部入出力装置上にＧＵＩのためのグラフィック情報を表示するためにメモリ２００４内または記憶装置２００６上に記憶された命令を含む。他の実現例では、複数のメモリおよび複数のタイプのメモリとともに、複数のプロセッサおよびまたは複数のバスが適宜使用されてもよい。また、複数の計算装置２０００が接続されてもよく、各装置は（たとえば、サーババンク、ブレードサーバの群、またはマルチプロセッサシステムとして）必要な動作の一部を提供する。
【００２５】
メモリ２００４は、計算装置２０００内の情報を記憶する。一実現例では、メモリ２００４は、揮発性メモリユニットまたは複数の揮発性メモリユニットである。別の実現例では、メモリ２００４は、不揮発性メモリユニットまたは複数の不揮発性メモリユニットである。また、メモリ２００４は、磁気ディスクまたは光ディスクなどの別の形態のコンピュータ読取可能な媒体であってもよい。
【００２６】
記憶装置２００６は、計算装置２０００に大容量記憶を提供することができる。一実現例では、記憶装置２００６は、コンピュータ読取可能な媒体であってもよく、またはコンピュータ読取可能な媒体を含んでいてもよく、当該コンピュータ読取可能な媒体は、フロッピー（登録商標）ディスク装置、ハードディスク装置、光ディスク装置、またはテープ装置、フラッシュメモリ、または他の同様のソリッドステートメモリ装置、またはストレージエリアネットワークにおける装置もしくは他の構成を含む装置のアレイなどである。コンピュータプログラム製品が情報キャリアにおいて有形に具現化されてもよい。コンピュータプログラム製品は、実行されたときに上記の方法などの１つ以上の方法を実行する命令も含んでいてもよい。情報キャリアは、メモリ２００４、記憶装置２００６、またはプロセッサ２００２上のメモリなどのコンピュータまたは機械読取可能な媒体である。
【００２７】
高速コントローラ２００８は、計算装置２０００のための帯域幅を多用する動作を管理する一方、低速コントローラ２０１２は、より低い帯域幅を使用する動作を管理する。このような機能の割り当ては例示に過ぎない。一実現例では、高速コントローラ２００８は、メモリ２００４、ディスプレイ２０１６（たとえば、グラフィックスプロセッサまたはアクセラレータを介して）、およびさまざまな拡張カード（図示せず）を受け付けることができる高速拡張ポート２０１０に結合されている。当該実現例では、低速コントローラ２０１２は、記憶装置２００６および低速拡張ポート２０１４に結合されている。さまざまな通信ポート（たとえば、ＵＳＢ、ブルートゥース（登録商標）、イーサネット（登録商標）、ワイヤレスイーサネット）を含み得る低速拡張ポートは、キーボード、ポインティング装置、スキャナなどの１つ以上の入出力装置、またはスイッチもしくはルータなどのネットワーキング装置に、たとえばネットワークアダプタを介して結合されてもよい。
【００２８】
計算装置２０００は、図に示されるように、いくつかの異なる形態で実現されてもよい。たとえば、計算装置２０００は、標準的なサーバ２０２０として実現されてもよく、またはこのようなサーバの群の状態で複数回実現されてもよい。また、計算装置２０００は、ラックサーバシステム２０２４の一部として実現されてもよい。また、計算装置２０００は、ラップトップコンピュータ２０２２などのパーソナルコンピュータの状態で実現されてもよい。代替的に、計算装置２０００からのコンポーネントは、装置２０５０などの携帯装置内の他のコンポーネント（図示せず）と結合されてもよい。このような装置の各々は、計算装置２０００、２０５０のうちの１つ以上を含んでいてもよく、システム全体が、互いに通信する複数の計算装置２０００、２０５０で構成されてもよい。
【００２９】
計算装置２０５０は、いくつかあるコンポーネントの中で特に、プロセッサ２０５２と、メモリ２０６４と、ディスプレイ２０５４などの入出力装置と、通信インターフェイス２０６６と、送受信機２０６８とを含む。装置２０５０は、追加の記憶を提供するために、マイクロドライブまたは他の装置などの記憶装置も備えていてもよい。コンポーネント２０５０、２０５２、２０６４、２０５４、２０６６および２０６８の各々は、さまざまなバスを使用して相互接続され、コンポーネントのうちのいくつかは、共通のマザーボード上にまたは他の態様で適宜実装されてもよい。
【００３０】
プロセッサ２０５２は、メモリ２０６４に記憶された命令を含む計算装置２０５０内の命令を実行することができる。プロセッサは、別個の複数のアナログおよびデジタルプロセッサを含むチップのチップセットとして実現されてもよい。プロセッサは、たとえばユーザインターフェイス、装置２０５０によって実行されるアプリケーション、および装置２０５０による無線通信の制御などの、装置２０５０の他のコンポーネント同士の協調を提供してもよい。
【００３１】
プロセッサ２０５２は、ディスプレイ２０５４に結合された制御インターフェイス２０５８およびディスプレイインターフェイス２０５６を介してユーザと通信してもよい。ディスプレイ２０５４は、たとえばＴＦＴＬＣＤ（薄膜トランジスタ液晶ディスプレイ）またはＯＬＥＤ（有機発光ダイオード）ディスプレイ、または他の適切なディスプレイ技術であってもよい。ディスプレイインターフェイス２０５６は、ディスプレイ２０５４を駆動してグラフィックおよび他の情報をユーザに提示するための適切な回路を備えていてもよい。制御インターフェイス２０５８は、ユーザからコマンドを受信し、それらを変換して、プロセッサ２０５２に発信してもよい。また、他の装置との装置２０５０の近接領域通信を可能にするように、外部インターフェイス２０６２がプロセッサ２０５２と通信する状態で設けられてもよい。外部インターフェイス２０６２は、たとえばいくつかの実現例では有線通信を提供してもよく、または他の実現例では無線通信を提供してもよく、複数のインターフェイスも使用されてもよい。
【００３２】
メモリ２０６４は、計算装置２０５０内の情報を記憶する。メモリ２０６４は、コンピュータ読取可能な媒体もしくは複数のコンピュータ読取可能な媒体、揮発性メモリユニットもしくは複数の揮発性メモリユニット、または不揮発性メモリユニットもしくは複数の不揮発性メモリユニットのうちの１つ以上として実現することができる。また、拡張メモリ２０７４が設けられて、拡張インターフェイス２０７２を介して装置２０５０に接続されてもよく、拡張インターフェイス２０７２は、たとえばＳＩＭＭ（シングルインラインメモリモジュール）カードインターフェイスを含んでいてもよい。このような拡張メモリ２０７４は、追加の記憶スペースを装置２０５０に提供してもよく、または装置２０５０のためのアプリケーションもしくは他の情報も記憶してもよい。具体的には、拡張メモリ２０７４は、上記のプロセスを実行または補完するための命令を含んでいてもよく、安全な情報も含んでいてもよい。したがって、たとえば、拡張メモリ２０７４は、装置２０５０のためのセキュリティモジュールとして提供されてもよく、装置２０５０の安全な使用を許可する命令でプログラムされてもよい。また、ハッキング不可能な態様でＳＩＭＭカードに識別情報を乗せるなど、追加情報とともに安全なアプリケーションがＳＩＭＭカードを介して提供されてもよい。
【００３３】
メモリは、たとえば下記のフラッシュメモリおよびまたはＮＶＲＡＭメモリを含んでいてもよい。一実現例では、コンピュータプログラム製品が情報キャリアにおいて有形に実施される。コンピュータプログラム製品は、実行されたときに上記の方法などの１つ以上の方法を実行する命令を含む。情報キャリアは、メモリ２０６４、拡張メモリ２０７４、またはプロセッサ２０５２上のメモリなどのコンピュータ読取可能なまたは機械読取可能な媒体であり、たとえば送受信機２０６８または外部インターフェイス２０６２を介して受信され得る。
【００３４】
装置２０５０は、必要に応じてデジタル信号処理回路を含み得る通信インターフェイス２０６６を介して無線で通信してもよい。通信インターフェイス２０６６は、とりわけＧＳＭ（登録商標）音声電話、ＳＭＳ、ＥＭＳもしくはＭＭＳメッセージング、ＣＤＭＡ、ＴＤＭＡ、ＰＤＣ、ＷＣＤＭＡ（登録商標）、ＣＤＭＡ２０００、またはＧＰＲＳなどのさまざまなモードまたはプロトコルの下で通信を提供してもよい。このような通信は、たとえば無線周波数送受信機２０６８を介して行われてもよい。また、ブルートゥース、ＷｉＦｉ、または他のこのような送受信機（図示せず）を使用するなどして短距離通信が行われてもよい。また、ＧＰＳ（全地球測位システム）受信機モジュール２０７０は、さらなるナビゲーションおよび位置関連の無線データを装置２０５０に提供してもよく、当該データは、装置２０５０上で実行されるアプリケーションによって適宜使用されてもよい。
【００３５】
また、装置２０５０は、オーディオコーデック２０６０を使用して音声通信してもよく、オーディオコーデック２０６０は、音声による情報をユーザから受信し、それを使用可能なデジタル情報に変換してもよい。同様に、オーディオコーデック２０６０は、話者を介するなどして、たとえば装置２０５０のハンドセットにおいて、ユーザにとって聞き取れる音声を生成してもよい。このような音声は、音声電話からの音声を含んでいてもよく、記録された音声（たとえば、音声メッセージ、音楽ファイルなど）を含んでいてもよく、装置２０５０上で動作するアプリケーションによって生成される音声も含んでいてもよい。
【００３６】
計算装置２０５０は、図に示されるように、いくつかの異なる形態で実現されてもよい。たとえば、計算装置２０５０は、携帯電話２０８０として実現されてもよい。また、計算装置２０５０は、スマートフォン２０８２、パーソナルデジタルアシスタント、または他の同様の携帯装置の一部として実現されてもよい。
【００３７】
本明細書に記載されているシステムおよび技術のさまざまな実現例は、デジタル電子回路、集積回路、特別に設計されたＡＳＩＣ（特定用途向け集積回路）、コンピュータハードウェア、ファームウェア、ソフトウェア、およびまたはそれらの組み合わせによって実現されてもよい。これらのさまざまな実現例は、プログラム可能なシステム上で実行可能およびまたは解釈可能な１つ以上のコンピュータプログラムでの実現例を含み得て、当該プログラム可能なシステムは、記憶システムとデータおよび命令を送受信するように結合された、特殊目的であってもよくまたは汎用であってもよい少なくとも１つのプログラム可能なプロセッサと、少なくとも１つの入力装置と、少なくとも１つの出力装置とを含む。
【００３８】
（プログラム、ソフトウェア、ソフトウェアアプリケーションまたはコードとしても知られている）これらのコンピュータプログラムは、プログラム可能なプロセッサのための機械命令を含み、ハイレベルの手続き型プログラミング言語およびもしくはオブジェクト指向プログラミング言語で実現されてもよく、ならびにまたは、アセンブリ言語機械言語で実現されてもよい。本明細書で使用されている「機械読取可能な媒体」「コンピュータ読取可能な媒体」という用語は、機械命令を機械読取可能な信号として受信する機械読取可能な媒体を含む、機械命令およびまたはデータをプログラム可能なプロセッサに提供するために使用される任意のコンピュータプログラム製品、機器およびまたは装置（たとえば、磁気ディスク、光ディスク、メモリ、プログラマブルロジック装置（ＰＬＤ））を指す。「機械読取可能な信号」という用語は、機械命令およびまたはデータをプログラム可能なプロセッサに提供するために使用される任意の信号を指す。
【００３９】
ユーザとの相互作用を提供するために、本明細書に記載されているシステムおよび技術はコンピュータ上で実現されてもよく、当該コンピュータは、ユーザに情報を表示するためのディスプレイ装置（たとえば、陰極線管（ＣＲＴ）またはＬＣＤ（液晶ディスプレイ）モニタ）と、ユーザが入力をコンピュータに提供することができるキーボードおよびポインティング装置（たとえば、マウスまたはトラックボール）とを有する。ユーザとの相互作用を提供するために他の種類の装置も使用されてもよい。たとえば、ユーザに提供されるフィードバックは、任意の形態の感覚フィードバック（たとえば、視覚フィードバック、聴覚フィードバックまたは触覚フィードバック）であってもよく、ユーザからの入力は、音響入力、音声入力または触覚入力を含む任意の形態で受信されてもよい。
【００４０】
本明細書に記載されているシステムおよび技術は、バックエンドコンポーネント（たとえば、データサーバ）を含むコンピューティングシステムで実現されてもよく、またはミドルウェアコンポーネント（たとえば、アプリケーションサーバ）を含むコンピューティングシステムで実現されてもよく、またはフロントエンドコンポーネント（たとえば、ユーザが本明細書に記載されているシステムおよび技術の実現例と相互作用できるグラフィカルユーザインターフェイスもしくはウェブブラウザを有するクライアントコンピュータ）を含むコンピューティングシステムで実現されてもよく、またはこのようなバックエンドコンポーネント、ミドルウェアコンポーネントもしくはフロントエンドコンポーネントのいずれかの組み合わせを含むコンピューティングシステムで実現されてもよい。システムのコンポーネント同士は、デジタルデータ通信の任意の形態または媒体（たとえば、通信ネットワーク）によって相互接続されてもよい。通信ネットワークの例としては、ローカルエリアネットワーク（ＬＡＮ）、広域ネットワーク（ＷＡＮ）およびインターネットが挙げられる。
【００４１】
コンピューティングシステムは、クライアントとサーバとを含み得る。クライアントおよびサーバは、一般に互いに離れており、典型的には通信ネットワークを介して相互作用する。クライアントおよびサーバの関係は、それぞれのコンピュータで実行されて互いにクライアント・サーバ関係を有するコンピュータプログラムにより生じる。
【００４２】
いくつかの実現例において、図２０に示される計算装置は、仮想現実（ＶＲヘッドセット／ＨＭＤ装置）と相互作用するセンサを含み得る。例えば、計算装置２０５０または図２０に示される他の計算装置に含まれる少なくとも１つのセンサは、ＶＲヘッドセット２０９０へ、または一般的には、ＶＲ空間へ入力を提供できる。センサは、タッチスクリーン、加速度計、ジャイロスコープ、圧力センサ、生体認証センサ、温度センサ、湿度センサおよび環境光センサを含んでもよいが、これらに限定されない。計算装置２０５０は、センサを使用して、ＶＲ空間への入力として使用できるＶＲ空間内の計算装置の絶対位置および／または検出された回転数を決定することができる。例えば、計算装置２０５０は、コントローラ、レーザーポインタ、キーボード、武器などの仮想オブジェクトとしてＶＲ空間に組み込まれてもよい。ユーザによるＶＲ空間に組み込まれたときの計算装置／仮想オブジェクトの配置によって、ユーザは、ＶＲ空間において特定の方法によって仮想オブジェクトを見るための計算装置の配置をすることができる。例えば、仮想オブジェクトがレーザーポインタを表す場合、ユーザは実際のレーザーポインタであるように計算装置を操作できる。ユーザは、計算装置を左右、上下、円などに移動させ、レーザーポインタを使用するのと同様の方法で装置を使用できる。
【００４３】
いくつかの実現例において、計算装置２０５０に含まれる、または計算装置２０５０に接続される少なくとも１つの入力装置は、ＶＲ空間への入力として使用され得る。入力装置は、タッチスクリーン、キーボード、少なくとも１つのボタン、トラックパッド、タッチパッド、ポインティングデバイス、マウス、トラックボール、ジョイスティック、カメラ、マイク、入力機能を有するイヤホンまたはＢＵＤＳ（商標登録）、ゲーミングコントローラ、または他の接続可能な入力装置を含んでいてもよい。計算装置がＶＲ空間に組み込まれるときに計算装置２０５０に含まれる入力装置と相互作用するユーザは、ＶＲ空間において特定のアクションを発生させることができる。
【００４４】
いくつかの実現例において、計算装置２０５０のタッチスクリーンは、ＶＲ空間におけるタッチパッドとしてレンダリングされ得る。ユーザは、計算装置２０５０のタッチスクリーンと相互作用できる。相互作用は、例えば、ＶＲヘッドセット２０９０において、ＶＲ空間でレンダリングされたタッチパッドの動きとしてレンダリングされる。レンダリングされた動きは、ＶＲ空間における仮想オブジェクトを制御できる。
【００４５】
いくつかの実現例施において、計算装置２０５０に含まれる少なくとも１つの出力装置は、ＶＲ空間内のＶＲヘッドセット２０９０のユーザに出力および／またはフィードバックを提供することができる。出力とフィードバックは、視覚的、触覚的または聴覚的であってもよい。出力および／またはフィードバックには、振動、少なくとも１つのライトまたはストロボのオンおよびオフまたは点滅およびまたは点灯、アラームの鳴動、チャイムの演奏、歌の演奏、および音声ファイルの演奏が含まれ得るが、これらに限られない。出力装置には、振動モータ、振動コイル、圧電装置、静電装置、発光ダイオード（ＬＥＤ）、ストロボおよびスピーカーが含まれ得るが、これらに限られない。
【００４６】
いくつかの実現例において、計算装置２０５０は、コンピュータが生成した３Ｄ環境内における別のオブジェクトとして見え得る。ユーザによる計算装置２０５０との相互作用（例えば、回転、振動、タッチスクリーンのタッチ、タッチスクリーン上での指のスワイプ）は、ＶＲ空間内におけるオブジェクトとの相互作用として解釈され得る。ＶＲ空間内におけるレーザーポインタの例では、計算装置２０５０は、コンピュータが生成した３Ｄ環境内における仮想レーザーポインタとして表示される。ユーザが計算装置２０５０を操作する際に、ＶＲ空間内におけるユーザにはレーザーポインタの動きが見える。ユーザは、計算装置２０５０内またはＶＲヘッドセット上のＶＲ環境内の計算装置２０５０との相互作用からフィードバックを受け取る。
【００４７】
いくつかの実現例において、計算装置２０５０はタッチスクリーンを含み得る。例えば、ユーザはＶＲ空間内における出来事とともに、タッチスクリーン上における出来事を模倣できる特定の方法によってタッチスクリーンと相互作用することができる。例えば、ユーザは、ピンチタイプの動きを利用することによってタッチスクリーンに表示されるコンテンツを拡大し得る。タッチスクリーン上におけるこのようなピンチタイプの動きによって、ＶＲ空間において提供される情報が拡大され得る。別の例においては、計算装置は、コンピュータによって生成された３Ｄ環境における仮想的な書籍としてレンダリングされ得る。ＶＲ空間において、書籍のページがＶＲ空間に表示され得、タッチスクリーン上におけるユーザの指のスワイプは、仮想的な書籍のページをめくるひっくり返すと解釈され得る。各ページがめくられるひっくり返されると、ページの内容が変化することが見えることに加えて、ユーザには書籍のページをめくる音など音声フィードバックが提供され得る。
【００４８】
いくつかの実現例において、計算装置に加えて、少なくとも１つの入力装置（マウス、キーボードなど）がコンピュータによって生成されたＶＲ環境においてレンダリングされ得る。レンダリングされた入力装置（レンダリングされたマウス、レンダリングされたキーボードなど）は、ＶＲ空間内におけるオブジェクトを制御するようにＶＲ空間にレンダリングされて使用され得る。
【００４９】
計算装置２０００は、ラップトップ、デスクトップ、ワークステーション、パーソナルデジタルアシスタント、サーバ、ブレードサーバ、メインフレームおよびその他の適切なコンピュータを含むがこれらに限定されない様々な形式のデジタルコンピュータおよび装置を表すことを意図されている。計算装置２０５０は、パーソナルデジタルアシスタント、携帯電話、スマートフォン、および同様の計算装置など様々な形態の携帯装置を表すことを意図されている。ここに示されているコンポーネント、それらの接続および関係、ならびにそれらの機能は、単なる例示を目的としており、この明細書において説明されおよび／または請求されている発明の実現を制限する意味するものではない。
【００５０】
多くの実施の形態が説明された。それにも関わらず、本明細書の精神および範囲から逸脱することなく様々な修正がされ得ることを理解されたい。
【００５１】
さらに、図に示されているロジックフローは、望ましい結果を得るために、示されている特定の順序または連続的な順序を必要としない。さらに、提供されたフローから他のステップが提供されてもよいし、ステップが削除されてもよいし、説明されたシステムに他のコンポーネントが追加または削除されてもよい。
【００５２】
説明された実現例の特定の特徴が本明細書において説明されたように示されたが、多くの修正、置換、変更および均等物が当業者には想到されるだろう。したがって、添付の請求の範囲は、実現例の範囲内にある全てのこのような修正および変更を網羅することを意図していることを理解されたい。それらは限定ではなく例としてのみ提示されたものであり、形態および詳細に様々な変更を加えることができることを理解されたい。本明細書で説明される装置およびまたは方法の任意の一部は、相互に排他的な組合せを除いて、任意に組み合わせられ得る。本明細書において説明される実現例は、本明細書において説明される様々な実現例の機能、コンポーネントおよびまたは特徴の様々な組合せおよびまたは部分的な組合せを含み得る。
【００５３】
追加の実現例は、下記の例にまとめられている。
例１：計算装置は、第１面および第１面の反対側の第２面を有するベースハウジングと、ベースハウジング上に含まれる少なくとも１つのユーザインターフェイス装置と、ベースハウジングの第１面に形成され、かつ少なくとも部分的に音声出力ポートを規定する開口部と、ベースハウジングの開口部に対応する位置においてベースハウジング内に設置された音声出力装置とを備え、音声出力装置は、エンクロージャブラケットと、エンクロージャブラケットの第１側面とベースハウジングの第１面との間に配置された封止材と、エンクロージャブラケットの第２側面に配置されたエンクロージャ板と、エンクロージャ板の第２側面とベースハウジングの第２面との間に配置されたアイソレーションパッドとを含んでいる。エンクロージャブラケットの第１側面、ベースハウジングの第１面および封止材は、音声出力装置の前方体積を規定している。エンクロージャ板およびエンクロージャブラケットの第２側面は、音声出力装置の後方体積を規定している。
【００５４】
例２：例１の装置は、ヒンジアセンブリによってベースハウジングに回転可能に結合されたディスプレイハウジングをさらに備えている。ディスプレイハウジングは、外面と、外面の反対側のベゼル表面と、ベゼル表面の開口部に配置されたディスプレイ装置とを含んでいる。
【００５５】
例３：例２の装置において、ベースハウジングの第１面の周縁部に開口部が設けられ、開口部の外縁部においてヒンジアセンブリがベースハウジングに結合されている。装置は、ヒンジアセンブリに隣接する開口部に配置された支持パッドと、支持パッドと開口部の内縁部との間に形成され、かつ音声出力ポートを規定する隙間とをさらに含んでいる。
【００５６】
例４：例３の装置において、隙間は、エンクロージャブラケットの第１側面、ベースハウジングの第１面および封止材によって規定される音声出力装置の前方体積と連通している。これにより、前方体積において音声出力装置によって生成される音は、音声出力ポートを規定する隙間を通って計算装置から外に向かう。
【００５７】
例５：例３または例４の装置において、支持パッドは、ベースハウジングの第１面の平面を越えて開口部から外に突出している。
【００５８】
例６：例５の装置において、タブレットモードでは、ベースハウジングの第２面は、ディスプレイハウジングの外面と直接に向かうように配置されている。支持パッドは、作業面の上で計算装置を支持するように構成されている。音声出力装置によって生成される音は、音声出力ポートを通って外に向かい、ベースハウジングの第１面と作業面との間に形成される空間を通ってユーザに向かう。
【００５９】
例７：例３〜例６のいずれかの装置において、支持パッドは、アルミニウム製の硬質部と、シリコーンゴム材料製のカバー部とを含んでいる。カバー部は、硬質部の外面に化学的に接着されている。
【００６０】
例８：例２〜例７のいずれかの装置において、ヒンジアセンブリは、ディスプレイハウジングをベースハウジングに回転可能に結合する複数のヒンジアセンブリのひとつである。開口部は、ベースハウジングの複数の開口部のひとつである。複数の開口部は、複数のヒンジアセンブリに対応している。
【００６１】
例９：例２〜例７のいずれかの装置において、ヒンジアセンブリは、ヒンジハウジングと、ヒンジハウジングとベースハウジングとの間に延伸している第１ヒンジシャフトと、ヒンジハウジングとディスプレイハウジングとの間に延伸している第２ヒンジシャフトとを含んでいる。ヒンジハウジングは、第１ヒンジシャフトおよび第２ヒンジシャフトの周りを選択的に回転可能である。
【００６２】
例１０：例１〜例９のいずれかの装置において、少なくとも１つのユーザインターフェイスは、キーボード、トラックパッドおよびタッチスクリーンディスプレイ装置のうち少なくとも１つを含んでいる。
【００６３】
例１１：計算装置は、ベースハウジングと、ヒンジアセンブリによってベースハウジングに結合されたディスプレイハウジングと、ベースハウジング内に設置された音声出力装置と、ベースハウジングに形成された開口部とを含んでいる。開口部は、音声出力装置と連通しつつ音声出力ポートを規定している第１部と、第１部に隣接している第２部とを含んでいる。ヒンジアセンブリは、開口部の第２部においてベースハウジングに結合されている。
【００６４】
例１２：例１１の装置において、ベースハウジングは、第１面と、第２面と、第１面に配置された少なくとも１つのユーザ入力装置とを含んでいる。ディスプレイハウジングは、ディスプレイと、ディスプレイを取り囲むベゼル表面と、ベゼル表面の反対側に配置された外面とを含んでいる。開口部は、ベースハウジング内の音声出力装置に対応する位置においてベースハウジングの第１面の周縁部に設けられている。
【００６５】
例１３：例１１または例１２の装置において、音声出力装置は、エンクロージャブラケットと、エンクロージャブラケットに結合された音声ドライバと、エンクロージャブラケットの第１側面とベースハウジングの第１面との間に配置された封止材と、エンクロージャブラケットの第２側面に配置されたエンクロージャ板と、エンクロージャ板の第２側面とベースハウジングの第２面との間に配置されたアイソレーションパッドとを含んでいる。エンクロージャブラケットの第１側面、ベースハウジングの第１面および封止材は、音声出力装置の前方体積を規定している。エンクロージャ板およびエンクロージャブラケットの第２側面は、音声出力装置の後方体積を規定している。
【００６６】
例１４：例１３の装置は、開口部に配置された支持パッドと、支持パッドと開口部の縁部との間に形成された隙間とをさらに備えている。支持パッドは、ベースハウジングの第１面の平面を越えて開口部から外に突出している。隙間は、音声出力ポートを規定する開口部の第１部と対応している。
【００６７】
例１５：例１４の装置において、隙間は、エンクロージャブラケットの第１側面、ベースハウジングの第１面および封止材によって規定される音声出力装置の前方体積と連通している。これにより、前方体積において音声出力装置によって生成される音は、音声出力ポートを規定する隙間を通って計算装置から外に向かう。
【００６８】
例１６：例１３〜例１５のいずれかの装置において、ヒンジアセンブリは、開口部の外縁部においてベースハウジングに結合されている。装置は、ヒンジアセンブリと開口部の内縁部との間において開口部に配置された支持パッドと、支持パッドと開口部の内縁部との間に形成された隙間とをさらに備えている。隙間は、音声出力ポートを規定する開口部の第１部に対応している。
【００６９】
例１７：例１６の装置において、ディスプレイハウジングは、ヒンジアセンブリの周りを、ベースハウジングに対して３５０度よりも大きい角度の範囲において回転できる。これにより、計算装置は、タブレットモードおよびラップトップモードのおいて動作可能である。タブレットモードにおいては、ベースハウジングの第２面がディスプレイハウジングの外面に直接に向かって配置されている。ラップトップモードにおいては、ベースハウジングの第１面がユーザによって定められた視野角においてディスプレイハウジングのベゼル表面から離れている。
【００７０】
例１８：例１７の装置において、支持パッドは、ベースハウジングの第１面の平面を越えて開口部から外に突出している。これによって、タブレットモードにおいて、音声出力装置によって生成される音が音声出力ポートを規定する開口部の第１部を通って外に向かい、ベースハウジングの第１面と作業面との間に形成される空間を通ってユーザに向かいつつ、計算装置が作業面の上において支持パッドによって支持される。
【００７１】
例１９：例１８の装置において、支持パッドは、アルミニウム製の硬質部と、シリコーンゴム材料製のカバー部とを含んでいる。カバー部は、硬質部の外面に化学的に接着されている。
【００７２】
例２０：上記の装置のいずれかにおいて、ヒンジアセンブリは、少なくとも１つのヒンジハウジングと、少なくとも１つのヒンジシャフトとを含んでいる。少なくとも１つのヒンジハウジングは、ベースハウジングまたはディスプレイハウジングのうち少なくとも１つに結合されている。少なくとも１つのヒンジシャフトは、少なくとも１つのヒンジハウジングを通って、ベースハウジングまたはディスプレイハウジングのうち少なくとも１つに延伸している。
【００７３】
説明された実現例の特定の特徴は、本明細書で説明されたように示されたが、当業者は、多くの修正、置換、変更および均等物に想到するだろう。したがって、添付の請求の範囲は、実現例の範囲内にある全てのこのような修正および変更を網羅することを意図していることを理解されたい。それらは限定ではなく例としてのみ提示されたものであり、形態および詳細に様々な変更を加えることができることを理解されたい。本明細書で説明される装置および／または方法の任意の一部は、相互に排他的な組合せを除いて、任意に組み合わせられ得る。本明細書において説明される実現例は、本明細書において説明される様々な実現例の機能、コンポーネントおよび／または特徴の、組合せおよび／または部分的な組合せを含み得る。
【要約】
計算装置は、ベースハウジング内に設置された音声出力装置を含み得る。音声出力装置の前方体積は、部分的に、計算装置のハウジングの向かい合っている内面によって規定され得る。音声出力ポートは、ハウジングの開口部によって規定され得る。いくつかの計算装置において、音声出力ポートを規定する開口部は、ハウジングをディスプレイに回転可能に結合するヒンジアセンブリを収容し得る。音声出力装置から音声出力ポートへの経路は、部分的には、支持パッドによって規定され得る。支持パッドは、音が音声出力ポートからユーザに向かって出ることをガイドする。また、タブレットモードにおける動作の際に、支持パッドは、作業面の上において計算装置を支持する支持パッドとしても機能し得る。【図１Ａ】
0006684974.tif 000002
【図１Ｂ】
0006684974.tif 000003
【図１Ｃ】
0006684974.tif 000004
【図１Ｄ】
0006684974.tif 000005
【図２】
0006684974.tif 000006
【図３Ａ】
0006684974.tif 000007
【図３Ｂ】
0006684974.tif 000008
【図３Ｃ】
0006684974.tif 000009
【図３Ｄ】
0006684974.tif 000010
【図４Ａ】
0006684974.tif 000011
【図４Ｂ】
0006684974.tif 000012
【図４Ｃ】
0006684974.tif 000013
【図４Ｄ】
0006684974.tif 000014
【図５】
0006684974.tif 000015